(57)【要約】【課題】電子番組表のみを用いて、ユーザが見過ごした放送済みの過去番組を視聴させる番組ガイド表示プログラム、装置及び方法を提供する。【解決手段】放送済みの過去番組、放送中の現在番組及び放送予定の未来番組が記述された電子番組表を記憶する電子番組表記憶手段と、電子番組表における過去番組及び現在番組の中で、ユーザによって指示された指示番組を特定する指示番組特定手段と、電子番組表の中で、指示番組よりも過去に放送済みであって、当該指示番組に対して所定条件を満たす１つ以上の過去番組を検索する過去番組検索手段と、電子番組表の中で、検索された当該過去番組の再放送であって、且つ、現在よりも未来に放送される１つ以上の未来番組を検索する第１の未来番組検索手段と、第１の未来番組検索手段によって検索された１つ以上の未来番組を指示可能な番組ガイドを表示する番組ガイド表示手段として機能させる。【選択図】図３
2020174340.tif 000002
【特許請求の範囲】
【請求項１】
受信した電子番組表に基づく番組ガイドをディスプレイへ表示する装置に搭載されたコンピュータを機能させるプログラムにおいて、
放送済みの過去番組、放送中の現在番組及び放送予定の未来番組それぞれのメタデータが記述された電子番組表を記憶する電子番組表記憶手段と、
電子番組表における過去番組及び現在番組の中で、ユーザによって指示された指示番組を特定する指示番組特定手段と、
電子番組表の中で、指示番組よりも過去に放送済みであって、当該指示番組に対して所定条件を満たす１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
してコンピュータを機能させることを特徴とするプログラム。
【請求項２】
過去番組検索手段は、所定条件として、
指示番組に付与されたメタデータと類似度が高いメタデータを持つ１つ以上の過去番組、又は、
指示番組に付与されたメタデータと類似度が所定閾値以上高いメタデータを持つ１つ以上の過去番組
を検索する
ようにコンピュータを機能させることを特徴とする請求項１に記載のプログラム。
【請求項３】
電子番組表の中で、指示番組に付与されたメタデータと類似度が高いメタデータを持ち、且つ、現在よりも未来に放送予定の１つ以上の未来番組を検索する第２の未来番組検索手段と
して更に機能させ、
番組ガイド表示手段は、第１の未来番組検索手段及び第２の未来番組検索手段によって検索された１つ以上の未来番組を更に指示可能とした番組ガイドを表示する
ようにコンピュータを機能させることを特徴とする請求項１又は２に記載のプログラム。
【請求項４】
電子番組表記憶手段は、過去から現在までに受信した複数の電子番組表を統合して記憶する
ようにコンピュータを機能させることを特徴とする請求項１から３のいずれか１項に記載のプログラム。
【請求項５】
番組ガイド表示手段によって表示された番組ガイドに含まれる未来番組がユーザによって指示された際に、録画装置に対して録画予約を指示する録画予約指示手段と
してコンピュータを機能させることを特徴とする請求項１から４のいずれか１項に記載のプログラム。
【請求項６】
番組ガイド表示手段は、ユーザ指示可能な番組をサムネイル又はアイコンによって表示すると共に、過去番組のサムネイル又はアイコンの群と、現在番組サムネイル又はアイコンの群と、未来番組のサムネイル又はアイコンの群とを、列方向又は行方向に並べた番組ガイドを表示する
ようにコンピュータを機能させることを特徴とする請求項１から５のいずれか１項に記載のプログラム。
【請求項７】
番組ガイド表示手段は、ユーザ指示可能な番組のメタデータのテキストを、当該サムネイルに重畳的又は並列的に表示する
ようにコンピュータを機能させることを特徴とする請求項６に記載のプログラム。
【請求項８】
受信した電子番組表に基づく番組ガイドをディスプレイへ表示する表示装置において、
放送済みの過去番組、放送中の現在番組及び放送予定の未来番組それぞれのメタデータが記述された電子番組表を記憶する電子番組表記憶手段と、
電子番組表の中で、ユーザによって指示された指示番組よりも過去に放送済みであって、当該指示番組に対して所定条件を満たす１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
を有することを特徴とする表示装置。
【請求項９】
ケーブルテレビ用のセットトップボックスであって、電子番組表の中で再放送（繰り返し放送）を所定複数回数以上含むチャネルの放送を受信する
ことを特徴とする請求項８に記載の表示装置。
【請求項１０】
請求項８又は９に記載の表示装置と、表示装置と通信可能なリモコンとが通信可能なシステムであって、
リモコンは、
視聴ユーザから発話された音声を収集するマイクと、
視聴ユーザに対する近接を検知する近接センサと
近接センサによって視聴ユーザに近接したと判定された際に、マイクによって収集された音声を、表示装置へ送信する音声送信手段と
を有し、
表示装置は、
リモコンから受信した音声に対する音声認識手段を有し、
指示番組特定手段は、音声認識手段によって認識されたキーワードを表示する番組を、当該視聴ユーザからの指示番組として特定する
ことを特徴とするシステム。
【請求項１１】
請求項８又は９に記載の表示装置と、表示装置と通信可能なリモコンとが通信可能なシステムであって、
リモコンは、
視聴ユーザによって把持された動作を検知する加速度センサと
加速度センサによって所定動作が検知された際に、当該所定動作に基づく操作識別子を、表示装置へ送信する操作識別子送信手段と
を有し、
表示装置は、
操作識別子と、視聴ユーザの操作内容とを対応付けた操作認識手段を有し、
指示番組特定手段は、操作認識手段を用いて、リモコンから受信した操作識別子に対応する操作内容に応じて、当該視聴ユーザからの指示番組を特定する
ことを特徴とするシステム。
【請求項１２】
受信した電子番組表に基づく番組ガイドをディスプレイへ表示する装置の番組ガイド表示方法において、
装置は、
放送済みの過去番組、放送中の現在番組及び放送予定の未来番組それぞれのメタデータが記述された電子番組表を記憶しており、
電子番組表の中で、ユーザによって指示された指示番組を特定する第１のステップと、
電子番組表の中で、当該指示番組よりも過去に放送済みであって、当該指示番組に対して所定条件を満たす１つ以上の過去番組を検索する第２のステップと、
電子番組表の中で、検索された当該過去番組の再放送であって、且つ、現在よりも未来に放送される１つ以上の未来番組を検索する第３のステップと、
第２のステップによって検索された１つ以上の未来番組を指示可能な番組ガイドを表示する第４のステップと
を実行することを特徴とする装置の番組ガイド表示方法。
【発明の詳細な説明】
【技術分野】
【０００１】
本発明は、電子番組表（ＥＰＧ(Electronic Program Guide)）の技術に関する。
【背景技術】
【０００２】
電子番組表とは、放送番組（コンテンツ）の放送予定を、時間帯及びチャンネル番号によって表形式（ラテ欄）にまとめたものである。一般に、縦軸に時間帯を、横軸にチャネルを構成した格子状のセルとして表される。セルの中に、タイトルや出演者名等の番組内容（メタデータ）が記述されている。この電子番組表を、ディスプレイに表示することによって、ユーザは、放送予定の所望番組の時間帯及びチャネルを確認することができる。
【０００３】
様々な番組リソースを受信するために、ユーザ宅内に「セットトップボックス」を設置する場合がある。セットトップボックスは、衛星放送、地上波放送、ケーブルテレビ放送、ＩＰ(Internet Protocol)ストリーミング放送などのデジタル放送を受信することができる。
【０００４】
図１は、セットトップボックスを有するシステム構成図である。
【０００５】
図１によれば、ユーザの宅内に設置されたセットトップボックス１は、ホームネットワークを介して、ディスプレイを搭載するテレビ、パーソナルコンピュータ、スマートフォンや、記憶装置を搭載するビデオレコーダに接続される。
セットトップボックス１は、ユーザが視聴する装置のディスプレイに、番組ガイド（番組選択メニュー）を表示することができる。ユーザは、番組ガイドを閲覧しながら、自ら所持するリモコン２から、所望の放送番組を選択することができる。ユーザによって選択された放送番組は、装置のディスプレイに再生表示される。
【０００６】
放送番組としては、時間軸に応じて以下のように分類される。
放送済みの過去番組：  現時点で再生することができない
放送中の現在番組  ：  現時点で視聴可能となる
放送予定の未来番組：  現時点で録画予約をすることができる
衛星放送、地上波放送、ケーブルテレビ放送及びＩＰストリーミング放送によれば、放送日時及び放送チャネルが予め決定されており、電子番組表として常時配信されている。
【０００７】
従来、ユーザが現在番組、過去番組、未来番組のいずれを所望するかによって、異なる番組ガイド（番組選択用のメニュー画面）を、セットトップボックスに表示する技術がある（例えば非特許文献１参照）。この技術によれば、ユーザは、所望番組の分類に応じた番組ガイドを閲覧するべく、自ら切り替え操作をする必要がある。
また、電子番組表を用いて、ユーザの所望番組を検索しやすくする技術もある。これは、「タイトル」「出演者名」「ジャンル」のような項目で絞り込んでいく階層型のメニューとなった番組ガイドが表示される。この技術によれば、ユーザ自らが、項目を絞りながら所望番組を検索していく必要もあり、手間がかかる。
【０００８】
更に、「過去」「現在」「未来」の番組を全て１つの電子番組表に統合する技術もある（例えば特許文献１参照）。この技術によれば、放送中の現在番組の視聴操作と、過去に放送済みで且つ録画された番組の再生操作と、放送予定の未来番組の録画予約操作とを、時間軸で統合された電子番組表によって一貫して操作することができる。
この電子番組表は、上下方向に沿って時間帯が変化し、左右方向に沿ってチャネルが変化して、各セルの表示位置が変化する。
【０００９】
更に、様々な番組リソースの中から、当該ユーザの視聴可能性が高い番組のみが表示された番組ガイドを、ディスプレイに表示する技術もある（例えば特許文献２参照）。この技術は、当該ユーザにおける視聴可能性が高い第１の番組を推薦抽出すると共に、異なるリソースの番組の中から第１の番組に関連する第２の番組を推薦抽出する。そして、第１の番組のアイコンに隣接して、第２の番組のアイコンを表示する。
【００１０】
更に、過去コンテンツ情報、現在コンテンツ情報、未来コンテンツ情報は、時刻に応じて並び替えると共に、時刻に応じて表示態様のサイズを徐々に変化させる技術もある（例えば特許文献３参照）。
【００１１】
更に、ユーザによる関連番組の検索指示によって、受信中の放送波に含まれる番組情報のデータを取得して再生中の番組のジャンルを特定し、検索結果の一覧を表示する技術もある（例えば特許文献４参照）。
【先行技術文献】
【特許文献】
【００１２】
【特許文献１】特開２０１３−０８５２０７号公報
【特許文献２】特許第５２８３２２９号公報
【特許文献３】特開２００６−１１５３７３号公報
【特許文献４】特開２００８−０９８７９３号公報
【非特許文献】
【００１３】
ＪＣＯＭ、「チャネル！オンデマンド」、[online]、［平成３１年３月２３日検索］、インターネット＜URL:https://www.jcom.co.jp/service/tv/course/ch_ondemand/＞
【発明の概要】
【発明が解決しようとする課題】
【００１４】
特許文献１に記載の技術によれば、電子番組表が単に連結されているに過ぎない。ユーザの視聴意向に関わらず、過去、現在、未来の放送番組は全て列挙される。一般的に、古くからの「ラテ欄」は、ユーザが放送中の数チャネルの中から選択するは適する。しかしながら、放送時間及びチャネルに基づく情報量が膨大となった場合、ユーザは、所望番組の探索に手間がかかる。
【００１５】
特許文献２に記載の技術によれば、あくまでオンデマンドサービスのレコメンドに基づくものであって、電子番組表の時間軸を利用したものではない。この技術は、放送番組と、その放送番組に基づくオンデマンドコンテンツとを隣接させて表示するものである。オンデマンドコンテンツは、オンデマンドサービスとして膨大な数の中から推薦されたものであって、ユーザに対する効率的なコンテンツの選択処理技術が必要となる。
【００１６】
特許文献３に記載の技術によれば、現在時刻の現在コンテンツ情報を表示すると共に、現在時刻から近い過去コンテンツ情報及び未来コンテンツ情報を、単に並べて表示したものである。この作用効果として、現在時刻から近い過去番組情報及び未来番組情報を一覧でき、ユーザがシームレスに扱うこととされている。
尚、特許文献３によれば、「所定の概念」とは、時間概念（蓄積時刻、放送時刻など）及び属性値（データサイズ、ジャンル、出演者名）に基づくものと記載されているが、属性値によってどのように並べ変えるのかまでは明確でない。
【００１７】
ここで、別の観点から本願の発明者らは、ユーザが最も残念に思う場合とは、見逃した放送済みの過去番組を知ったときではないか、と考えた。
ユーザは、放送中の現在番組を視聴している際、又は、電子番組表を閲覧している際に、見過ごした放送済みの過去番組の存在を知る場合がある。勿論、例えば非特許文献１に記載の技術によれば、過去１ヶ月の放送番組を、オンデマンドサービスとして受信することもできる。しかしながら、オンデマンドサービスに契約しておく必要がある。
【００１８】
これに対し、本願の発明者らは、オンデマンドサービスを用いることなく、常に受信可能な電子番組表のみを用いて、ユーザが見過ごした放送済みの過去番組を視聴させることができないか、と考えた。
【００１９】
そこで、本発明は、電子番組表のみを用いて、ユーザが見過ごした放送済みの過去番組を視聴させることができる番組ガイド表示プログラム、装置及び方法を提供することを目的とする。
【課題を解決するための手段】
【００２０】
本発明によれば、受信した電子番組表に基づく番組ガイドをディスプレイへ表示する装置に搭載されたコンピュータを機能させるプログラムにおいて、
放送済みの過去番組、放送中の現在番組及び放送予定の未来番組それぞれのメタデータが記述された電子番組表を記憶する電子番組表記憶手段と、
電子番組表における過去番組及び現在番組の中で、ユーザによって指示された指示番組を特定する指示番組特定手段と、
電子番組表の中で、指示番組よりも過去に放送済みであって、当該指示番組に対して所定条件を満たす１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
してコンピュータを機能させることを特徴とする。
【００２１】
本発明のプログラムにおける他の実施形態によれば、
過去番組検索手段は、所定条件として、
指示番組に付与されたメタデータと類似度が高いメタデータを持つ１つ以上の過去番組、又は、
指示番組に付与されたメタデータと類似度が所定閾値以上高いメタデータを持つ１つ以上の過去番組
を検索する
ようにコンピュータを機能させることも好ましい。
【００２２】
本発明のプログラムにおける他の実施形態によれば、
電子番組表の中で、指示番組に付与されたメタデータと類似度が高いメタデータを持ち、且つ、現在よりも未来に放送予定の１つ以上の未来番組を検索する第２の未来番組検索手段と
して更に機能させ、
番組ガイド表示手段は、第１の未来番組検索手段及び第２の未来番組検索手段によって検索された１つ以上の未来番組を更に指示可能とした番組ガイドを表示する
ようにコンピュータを機能させることも好ましい。
【００２３】
本発明のプログラムにおける他の実施形態によれば、
電子番組表記憶手段は、過去から現在までに受信した複数の電子番組表を統合して記憶する
ようにコンピュータを機能させることも好ましい。
【００２４】
本発明のプログラムにおける他の実施形態によれば、
番組ガイド表示手段によって表示された番組ガイドに含まれる未来番組がユーザによって指示された際に、録画装置に対して録画予約を指示する録画予約指示手段と
してコンピュータを機能させることも好ましい。
【００２５】
本発明のプログラムにおける他の実施形態によれば、
番組ガイド表示手段は、ユーザ指示可能な番組をサムネイル又はアイコンによって表示すると共に、過去番組のサムネイル又はアイコンの群と、現在番組サムネイル又はアイコンの群と、未来番組のサムネイル又はアイコンの群とを、列方向又は行方向に並べた番組ガイドを表示する
ようにコンピュータを機能させることも好ましい。
【００２６】
本発明のプログラムにおける他の実施形態によれば、
番組ガイド表示手段は、ユーザ指示可能な番組のメタデータのテキストを、当該サムネイルに重畳的又は並列的に表示する
ようにコンピュータを機能させることも好ましい。
【００２７】
本発明によれば、受信した電子番組表に基づく番組ガイドをディスプレイへ表示する表示装置において、
放送済みの過去番組、放送中の現在番組及び放送予定の未来番組それぞれのメタデータが記述された電子番組表を記憶する電子番組表記憶手段と、
電子番組表の中で、ユーザによって指示された指示番組よりも過去に放送済みであって、当該指示番組に対して所定条件を満たす１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
を有することを特徴とする。
【００２８】
本発明によれば、前述に記載の表示装置と、表示装置と通信可能なリモコンとが通信可能なシステムであって、
リモコンは、
視聴ユーザから発話された音声を収集するマイクと、
視聴ユーザに対する近接を検知する近接センサと
近接センサによって視聴ユーザに近接したと判定された際に、マイクによって収集された音声を、表示装置へ送信する音声送信手段と
を有し、
表示装置は、
リモコンから受信した音声に対する音声認識手段を有し、
指示番組特定手段は、音声認識手段によって認識されたキーワードを表示する番組を、当該視聴ユーザからの指示番組として特定する
ことを特徴とする。
【００２９】
本発明によれば、前述に記載の表示装置と、表示装置と通信可能なリモコンとが通信可能なシステムであって、
リモコンは、
視聴ユーザによって把持された動作を検知する加速度センサと
加速度センサによって所定動作が検知された際に、当該所定動作に基づく操作識別子を、表示装置へ送信する操作識別子送信手段と
を有し、
表示装置は、
操作識別子と、視聴ユーザの操作内容とを対応付けた操作認識手段を有し、
指示番組特定手段は、操作認識手段を用いて、リモコンから受信した操作識別子に対応する操作内容に応じて、当該視聴ユーザからの指示番組を特定する
ことを特徴とする。
【００３０】
本発明によれば、受信した電子番組表に基づく番組ガイドをディスプレイへ表示する装置の番組ガイド表示方法において、
装置は、
放送済みの過去番組、放送中の現在番組及び放送予定の未来番組それぞれのメタデータが記述された電子番組表を記憶しており、
電子番組表の中で、ユーザによって指示された指示番組を特定する第１のステップと、
電子番組表の中で、当該指示番組よりも過去に放送済みであって、当該指示番組に対して所定条件を満たす１つ以上の過去番組を検索する第２のステップと、
電子番組表の中で、検索された当該過去番組の再放送であって、且つ、現在よりも未来に放送される１つ以上の未来番組を検索する第３のステップと、
第２のステップによって検索された１つ以上の未来番組を指示可能な番組ガイドを表示する第４のステップと
を実行することを特徴とする。
【発明の効果】
【００３１】
本発明における番組ガイド表示プログラム、装置及び方法によれば、電子番組表のみを用いて、ユーザが見過ごした放送済みの過去番組について、その再放送となる放送予定の未来番組を録画可能として表示することができる。
【図面の簡単な説明】
【００３２】
【図１】本発明におけるシステム構成図である。
【図２】本発明におけるセットトップボックスの機能構成図である。
【図３】本発明における第１の表示選択シーケンスを表す説明図である。
【図４】本発明における第２の表示選択シーケンスを表す説明図である。
【図５】本発明における第３の表示選択シーケンスを表す説明図である。
【図６】本発明における第１の番組ガイドを表す画面表示図である。
【図７】本発明における第２の番組ガイドを表す画面表示図である。
【図８】未来番組に録画予約を表す画面表示図である。
【図９】本発明におけるリモコン及びセットトップボックスを有するシステム構成図である。
【図１０】リモコンへのユーザ発話に基づく指示番組の決定を表す画面表示図である。
【発明を実施するための形態】
【００３３】
以下、本発明の実施の形態について、図面を用いて詳細に説明する。
【００３４】
図２は、本発明におけるセットトップボックスの機能構成図である。
【００３５】
図２によれば、セットトップボックス１は、放送リソース側に対して、以下のインタフェースを有する。
放送波を受信するアンテナインタフェース
ケーブルテレビ事業者網に接続するケーブルインタフェース
インターネットに接続する通信インタフェース
アンテナインタフェースは、衛星波又は地上波を介して、放送中の現在番組及び電子番組表を受信する。
ケーブルインタフェースは、ケーブルを介して、放送中の現在番組及び電子番組表を受信する。
通信インタフェースは、インターネットを介して、ＩＰ(Internet Protocol)ストリームとして放送中の現在番組及び電子番組表を受信する。
【００３６】
セットトップボックス１は、ユーザ側に対して、ホームネットワークインタフェースと、リモコン信号受信部とを有する。ホームネットワークには、テレビやビデオレコーダ、パソコン、スマートフォン等が接続される。これらデバイスは、ディスプレイを搭載しており、ユーザに対して、放送番組を再生表示すると共に、電子番組表に基づく番組ガイドを表示することができる。
ユーザは、電子番組表に基づく番組ガイドを閲覧しながら、リモコンを用いて、所望番組を選択することができる。リモコンは、セットトップボックス１へ、赤外線又は無線ＬＡＮ(Local Area Network)によって操作信号を送信することができる。
【００３７】
本発明によれば、セットトップボックス１は、受信した電子番組表に基づく番組ガイドをディスプレイへ表示するものである。
図２によれば、セットトップボックス１は、放送受信部１０１と、電子番組表記憶部１１と、過去番組検索部１２１と、第１の未来番組検索部１２２と、第２の未来番組検索部１２３と、番組ガイド表示部１３と、録画予約指示部１４と、音声認識部１５１と、操作認識部１５２と、指示番組特定部１５３とを有する。これら機能構成部は、装置としてのセットトップボックスに搭載されたコンピュータを機能させるプログラムを実行することによって実現される。また、これら機能構成部の処理の流れは、番組ガイド表示方法としても理解できる。
【００３８】
［放送受信部１０１］
放送受信部１０１は、アンテナインタフェース、ケーブルインタフェース及び／又は通信インタフェースから、放送中の現在番組及び電子番組表を受信する。
各インタフェースは、１つ以上の放送リソースから放送番組を常時受信することができる。同一の放送リソースであっても、複数のチャネルから、チャネル毎に異なる放送番組を配信しているために、各放送リソースから電子番組表も受信する。
放送中の現在番組は、テレビ等の外部ディスプレイへ出力され、電子番組表は、電子番組表記憶部１１へ出力される。
【００３９】
［電子番組表記憶部１１］
電子番組表記憶部１１は、放送受信部１０１から、放送リソース毎に、過去から現在までに受信した電子番組表を記憶する。また、電子番組表記憶部１１は、異なる放送リソースであっても、過去（例えば１ヶ月前）から現在までに受信した複数の電子番組表を統合して記憶することも好ましい。
電子番組表は、「放送済みの過去番組」、「放送中の現在番組」及び「放送予定の未来番組」それぞれのメタデータが記述されたものである。一般的に、過去８日分の放送済みの過去番組における放送日時及び放送チャネルと、放送中の現在番組における放送日時及び放送チャネルと、未来８日分の放送予定の未来番組における放送日時及び放送チャネルとが記述されている。
電子番組表記憶部１１は、過去番組検索部１２１、第１の未来番組検索部１２２及び第２の未来番組検索部１２３から参照される。
【００４０】
図３は、本発明における第１の表示選択シーケンスを表す説明図である。
【００４１】
図３によれば、複数の電子番組表を統合したものであって、横軸を経過時間とした概念図が表されている。放送中の現在番組から見て、左側に放送済みの過去番組が配置され、右側に放送予定の未来番組が配置されている。また、異なる放送リソースの電子番組表を統合しているので、番組毎に放送リソースのチャネル番号も表されている。
尚、図３によれば、本発明のシーケンスが、Ｓ１〜Ｓ３によって表されている。
【００４２】
［指示番組特定部１５３］
指示番組特定部１５３は、電子番組表における過去番組及び現在番組の中で、ユーザによって指示された指示番組を特定する。即ち、指示番組は、放送済みの過去番組、又は、放送中の現在番組の中から、１つの指示番組が特定される。
勿論、ユーザ自ら番組を指示することなく、「視聴中の現在番組」を指示番組として、自動的に特定するものであってもよい。
【００４３】
図３のＳ１によれば、ユーザが、地上波放送ｃｈ１で放送中の現在番組「ドラマＡ第２話」を知った際に、「ドラマＡ第１話」の見過ごしに気付いたとする。このとき、ユーザは、「ドラマＡ第２話」を指示番組として、そのサムネイル又はアイコン（以下「サムネイル」と称す）を指示（例えばワンクリック、又は、リモコンからのポインタによる選択）することができる。
【００４４】
他の実施形態として、ユーザが任意のサムネイルを指示した際に、そのサムネイルがフォーカスされ、ユーザから見て目立つように表示されることも好ましい。また、そのサムネイルの周囲を、影つきや立体化することによって、ユーザに認識しやすくすることも好ましい。更に、フォーカスされているサムネイルに重畳されたテキストが、ポップアップして表示されることも好ましい。
【００４５】
［過去番組検索部１２１］
過去番組検索部１２１は、電子番組表の中で、指示番組よりも過去に放送済みであって、当該指示番組に対して所定条件を満たす１つ以上の過去番組を検索する。
【００４６】
各番組には、電子番組表のメタデータが付与されている。メタデータは、電子番組表のセルの中に記述された、タイトルや出演者名等の番組内容である。
ここで、過去番組検索部１２１は、所定条件として、以下のいずれかによって検索するものであってもよい。
（１）指示番組に付与されたメタデータと類似度が高いメタデータを持つ１つ以上の過去番組
（２）指示番組に付与されたメタデータと類似度が所定閾値以上高いメタデータを持つ１つ以上の過去番組
類似度としては、例えば単語間のcos距離を算出するものであってもよい。メタデータ同士を比較し、最もcos距離が短くなる類似度を、そのメタデータ間の類似度としてもよい。例えばWord2vecのような単語ベクトルを用いることもできる。
【００４７】
図３のＳ２によれば、指示番組「ドラマＡ第２話」に対して、類似度順に、以下の３つの過去番組が選択されている。
地上波放送ｃｈ１：「ドラマＡ第１話」
ＩＰ放送        ：「ドラマＡダイジェスト１」
衛星放送ＢＳ１  ：「ドラマＡインタビュー１」
【００４８】
［第１の未来番組検索部１２２］
第１の未来番組検索部１２２は、電子番組表の中で、検索された当該過去番組の再放送であって、且つ、現在よりも未来に放送される１つ以上の未来番組を検索する。
【００４９】
図３のＳ３によれば、検索された３つの過去番組の中で、再放送であって、且つ、現在よりも未来に放送される以下の２つの未来番組が検索される。
過去番組・地上波放送ｃｈ１：「ドラマＡ第１話」−＞
再放送の未来番組・地上波放送ｃｈ１：「ドラマＡ第１話」
過去番組・ＩＰ放送        ：「ドラマＡダイジェスト１」−＞
再放送の未来番組・ＩＰ放送        ：「ドラマＡダイジェスト１」
【００５０】
図３によれば、ユーザは、番組ガイドとして表示された２つの再放送・未来番組のいずれかを選択することができる。
ユーザが、再放送の未来番組・地上波放送ｃｈ１：「ドラマＡ第１話」を選択した場合、その録画予約が実行される。
逆に、ユーザが、再放送の未来番組・ＩＰ放送：「ドラマＡダイジェスト１」を選択した場合、その録画予約が実行される。
【００５１】
図４は、本発明における第２の表示選択シーケンスを表す説明図である。
【００５２】
図４のＳ１によれば、図３のＳ１と比較して、ユーザが、衛星放送ＢＳ１で放送済みの過去番組「ドラマＡインタビュー１」を知ったとする。このとき、ユーザは、「ドラマＡインタビュー１」を指示番組として指示することができる。
図４のＳ２によれば、指示番組「ドラマＡインタビュー１」に対して、類似度順に、以下の２つの過去番組が選択されている。
ＩＰ放送        ：「ドラマＡダイジェスト１」
衛星放送ＢＳ１  ：「ドラマＡインタビュー１」
図４のＳ３によれば、検索された２つの過去番組の中で、再放送であって、且つ、現在よりも未来に放送される以下の２つの未来番組が検索される。
過去番組・地上波放送ｃｈ１：「ドラマＡ第１話」−＞
再放送の未来番組・地上波放送ｃｈ１：「ドラマＡ第１話」
過去番組・ＩＰ放送        ：「ドラマＡダイジェスト１」−＞
再放送の未来番組・ＩＰ放送        ：「ドラマＡダイジェスト１」
図４によれば、ユーザは、再放送の未来番組・ＩＰ放送：「ドラマＡダイジェスト１」を選択しており、その録画予約が実行されている。
【００５３】
［第２の未来番組検索部１２３］
第２の未来番組検索部１２３は、電子番組表の中で、ユーザによって指示された指示番組に付与されたメタデータと類似度が高いメタデータを持ち、且つ、現在よりも未来に放送予定の１つ以上の未来番組を検索する。
【００５４】
図５は、本発明における第３の表示選択シーケンスを表す説明図である。
【００５５】
図５によれば、指示番組「ドラマＡ第２話」に対して、類似度が高い１つの未来番組が検索されている。
地上波放送ｃｈ３：「ドラマＡインタビュー２」
最終的に、ユーザに対して、３つの未来番組が検索されている。
再放送の未来番組・地上波放送ｃｈ１：「ドラマＡ第１話」
再放送の未来番組・ＩＰ放送        ：「ドラマＡダイジェスト１」
未来番組・地上波放送ｃｈ３：「ドラマＡインタビュー２」
【００５６】
［番組ガイド表示部１３］
番組ガイド表示部１３は、第１の未来番組検索部１２２及び第２の未来番組検索部１２３によって検索された１つ以上の未来番組を指示可能とした番組ガイドを表示する。
【００５７】
図６は、本発明における第１の番組ガイドを表す画面表示図である。
【００５８】
図６（ａ）によれば、放送中の現在番組「ドラマＡ第２話」を視聴しているとする。このとき、ユーザは、「ドラマＡ第１話」の見過ごしに気付いたか、改めて視聴したいと考えたとする。しかしながら、ユーザは、ビデオレコーダに「ドラマＡ第１話」を録画しておらず、オンデマンドサービスにも加入していないとする。このとき、ユーザは、リモコン２を用いてセットトップボックス１へ、番組ガイドの起動操作をしたとする。
【００５９】
図６（ｂ）によれば、視聴中の現在番組「ドラマＡ第２話」が、指示番組として特定される（Ｓ１）。そして、前述した図３に基づく２つの再放送の未来番組と、図５に基づく１つの未来番組と（Ｓ３）が、番組ガイドとして表示されている。
【００６０】
番組ガイド表示部１３は、ユーザ指示可能な番組をサムネイルによって表示すると共に、過去番組のサムネイルの群と、現在番組のサムネイルの群と、未来番組のサムネイルの群とを、列方向又は行方向に並べた番組ガイドを表示するものであってもよい。
サムネイルは、当該番組の概要をユーザに直感的に認識させることができる。
【００６１】
図７は、本発明における第２の番組ガイドを表す画面表示図である
【００６２】
図７（ａ）によれば、放送中の現在番組「ドラマＡ第２話」を視聴しているとする。このとき、ユーザが、リモコン２を用いてセットトップボックス１へ、番組ガイドの起動操作をしたとする。
【００６３】
図７（ｂ）によれば、列方向（左右方向）の左側から、放送済みの過去番組、放送中の現在番組、及び、放送予定の未来番組のサムネイルが表示されている。過去、現在及び未来それぞれの番組群の中で、行方向（上下方向）に、スクロール可能となったものであってもよい。
各番組のサムネイルの群は、ｍ列（ｍ＝３列：現在、過去、未来）に並べられ、各番組がｎ行に並べられる。
サムネイルは、ユーザによって選択（クリック又は視覚的押下）可能なアイコン状のものであり、当該番組の中の１枚の静止画像であってもよい。例えば１枚の静止画像が、一定時間（例えば２秒）毎に、パラパラと更新されるものであってもよい。
ここで、サムネイルに、電子番組表における当該番組に対応するセルに記述された番組内容のテキストが、重畳的又は並列的に表示されている。ユーザとしては、サムネイルのみならず、番組内容をテキストで理解することもできる。
【００６４】
ここで注目すべきは、ユーザが、指示番組に対して、類似度が高い放送済みの過去番組と、それら過去番組の再放送（又は指示番組と類似度が高い）となる未来番組を、直感的に認識できることにある。
図７（ｂ）のＳ１によれば、視聴中の現在番組「ドラマＡ第２話」が、指示番組として特定されている。
図７（ｂ）のＳ２によれば、指示番組「ドラマＡ第２話」に対して、以下の３つの過去番組が選択されている。
衛星放送ＢＳ１  ：「ドラマＡインタビュー１」
地上波放送ｃｈ１：「ドラマＡ第１話」
地上波放送ｃｈ３：「ドラマＡダイジェスト１」
図７（ｂ）のＳ３によれば、検索された３つの過去番組の中で、以下の３つの未来番組が検索される。
再放送の未来番組・地上波放送ｃｈ１：「ドラマＡ第１話」
再放送の未来番組・ＩＰ放送        ：「ドラマＡダイジェスト１」
未来放送・地上波放送ｃｈ３：「ドラマＡインタビュー２」
そして、ユーザは、再放送の未来番組・地上波放送ｃｈ１：「ドラマＡ第１話」を選択しており、その録画予約が実行される。
【００６５】
［録画予約指示部１４］
録画予約指示部１４は、番組ガイドで表示された未来番組を、ユーザが指示した際に、録画装置に対して録画予約を指示する。
【００６６】
図８は、未来番組に録画予約を表す画面表示図である。
【００６７】
図８（ａ）によれば、ユーザは、再放送の未来番組・地上波放送ｃｈ１：「ドラマＡ第１話」を選択（リモコンによる指示、又は、クリック）している。
このとき、図８（ｂ）へ遷移し、再放送の未来番組・地上波放送ｃｈ１：「ドラマＡ第１話」について、録画予約するか否かを、ユーザに問い合わせる。
これによって、この再放送の未来番組に対する録画予約を実行することができる。
【００６８】
図９は、本発明におけるリモコン及びセットトップボックスを有するシステム構成図である。
【００６９】
図９（ａ）によれば、リモコン２は、マイクと、近接センサと、音声送信部とを有する。
マイクは、視聴ユーザから発話された音声を収集する。
近接センサは、視聴ユーザに対する近接を検知する。具体的には、近接センサと物体（口元）との距離が所定閾値以下となった場合に、近接を検知する。ユーザがリモコン２を口元に寄せるだけで、テレビに、番組ガイドが表示される。
音声送信部は、近接センサによって視聴ユーザに近接したと判定された際に、マイクによって収集された音声（ユーザの発話音声）を、セットトップボックス１へ送信する。
これに対して、図９（ｃ）によれば、セットトップボックス１について、音声認識部１５１は、リモコン２から受信した音声に対して音声認識する。
【００７０】
図９（ｂ）によれば、リモコン２は、加速度センサと、操作識別子送信部とを有する。
加速度センサは、視聴ユーザによって把持された動作を検知する。
操作識別子送信部は、加速度センサによって所定動作が検知された際に、当該所定動作に基づく操作識別子を、セットトップボックス１へ送信する。加速度センサは、例えば「持ち上げ動作」を検知する。
これに対して、図９（ｃ）によれば、セットトップボックス１について、操作認識部１５２は、操作識別子（例えば持ち上げ動作）と、視聴ユーザの操作内容とを対応付ける。その操作内容の認識結果を入力した指示番組特定部１５３は、リモコンから受信した操作識別子に対応する操作内容に応じて、当該視聴ユーザによって選択又は指示されたと判定する。
ユーザがリモコン２を持ち上げるだけで、テレビに、本発明の番組ガイドが表示される。勿論、持ち上げ動作に限られず、リモコンを○状や△状に回すことによって、番組ガイドが表示されるものであってもよい。
【００７１】
図９（ｄ）によれば、セットトップボックス１の番組ガイド表示部１３は、番組ガイドに基づく番組のメタデータの中で、当該番組の内容を簡易に表すキーワードを、当該サムネイル上に重畳的（又は並列的）に表示する。
【００７２】
図１０は、リモコンへのユーザ発話に基づく指示番組の決定を表す画面表示図である。
【００７３】
図１０（ａ）によれば、各番組ガイドに、番号○１〜９が重畳的（スーパインポーズ）に表示されている。数字は、番組ガイドの選択時には、大きく表示される。これは、ユーザが音声によって番組ガイドを選択しようとした際に、発話すべき言葉を明確にすることによって、ユーザの発話のしやすさと、音声認識精度との両方を高めることができる。また、ユーザにとっては、何を発話すべきか、が明確となっている。
図１０（ａ）によれば、ユーザは、リモコン２に対して「１番！」と発話するだけで、放送中の現在番組「ドラマＡ第２話」を選択することができる。
宇１０（ｂ）によれば、ユーザは、リモコン２に対して「２話！」と発話するだけで、放送中の現在番組「ドラマＡ第２話」を選択することができる。
【００７４】
＜現在番組、過去番組、未来番組を同時に表示する実施形態＞
（１）見過ごした番組Ａ（日曜日夜８：００）があったことを翌日（月曜日）に気付いたとする。その場合、過去前日の番組表へ戻って、日曜日夜８：００を一時的選択する。そすると、未来番組として、土曜日昼１３：００の番組Ａの再放送が表示され、録画予約することができる。ケーブル放送は、特に再放送番組が多いために、過去の放送番組の予約操作によって、未来の再放送番組を予約することができる。
【００７５】
（２）朝ドラ第２回が放送中であり、ユーザが現在視聴中であるとする。このとき、過去番組ガイドには、先週に放送された朝ドラ第１回の過去番組ガイドが表示されている。ユーザは、その過去番組ガイドを指示選択することによって、朝ドラ第１回の過去番組を、オンデマンドサービスによって視聴することができる。このように、過去番組をユーザの興味によって連結することによって、ユーザの視聴意欲を高めることができる。
【００７６】
（３）ケーブルテレビでは、ショップチャネルが多い。ユーザにとっては、Ｓ社の掃除機の通販番組を視聴中であるとする。その場合、ユーザとしては、例えばＤ社の掃除機の通販番組も見てみたい場合もある。このとき、未来番組ガイドには、明日放送予定のＤ社の掃除機の通販番組の未来番組ガイドが表示される。その場合、ユーザは、その未来番組ガイドを指示選択することによって、明日放送予定のＤ社の掃除機の通販番組を録画予約することができる。このように、未来番組をユーザの興味によって連結することによって、ユーザの視聴意欲を高めることができる。
【００７７】
最後に、本発明と引用文献３との相違点について説明する。
引用文献３は、過去番組自体を録画していることを前提としており、録画していなければ当然のことながら再生することもできない。また、引用文献３には、ＳＩ情報に記述された過去番組情報をユーザに表示できると記載されているが、過去番組を録画することなく、ＳＩ情報のみで実現することを全く想定していない。即ち、引用文献３は、番組を録画するレコーダを想定したものである。
これに対し、本発明は、レコーダとして番組自体を記憶するものではなく、録画した過去番組を前提としたものでもない。本発明によれば、過去番組は、電子番組表に記述された範囲内で特定されているに過ぎず、引用文献３のように録画された過去番組の番組ガイドを表示するものではない。
ユーザが過去番組の見過ごしに気が付いても、過去番組は録画されていない限り、再生することはできない。できない。唯一回復できるのは、過去番組の再放送が、放送予定の未来番組に含まれているか否かである。含まれていれば、その未来番組を予約視聴又は予約録画をすることができる。
【００７８】
以上、詳細に説明したように、本発明における番組ガイド表示プログラム、装置及び方法によれば、電子番組表のみを用いて、ユーザが見過ごした放送済みの過去番組について、その再放送となる放送予定の未来番組を録画可能として表示することができる。
特に、本発明は、比較的短い時間間隔（例えば８日程度）で再放送される場合が多い放送形態に適する。例えば、ケーブルテレビ放送や衛星放送、ＩＰストリーミング放送に適する。但し、地上波放送の場合、比較的短い時間間隔で再放送される場合は少ないと考えられ、その場合、過去番組が再放送される未来番組も少なくなる。
本発明は特に、ケーブルテレビ用のセットトップボックスであって、電子番組表の中で再放送（繰り返し放送）を所定複数回数以上含むチャネルの放送を受信するものに適する。
【００７９】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８０】
１  セットトップボックス
１０１  放送受信部
１１  電子番組表記憶部
１２１  過去番組検索部
１２２  第１の未来番組検索部
１２３  第２の未来番組検索部
１３  番組ガイド表示部
１４  録画予約指示部
１５１  音声認識部
１５２  操作認識部
１５３  指示番組特定部
２  リモコン
【図１】
2020174340.tif 000003
【図２】
2020174340.tif 000004
【図３】
2020174340.tif 000005
【図４】
2020174340.tif 000006
【図５】
2020174340.tif 000007
【図６】
2020174340.tif 000008
【図７】
2020174340.tif 000009
【図８】
2020174340.tif 000010
【図９】
2020174340.tif 000011
【図１０】
2020174340.tif 000012
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
受信した電子番組表に基づく番組ガイドをディスプレイへ表示する装置に搭載されたコンピュータを機能させるプログラムにおいて、
放送済みの過去番組、放送中の現在番組及び放送予定の未来番組それぞれのメタデータが記述された電子番組表を記憶する電子番組表記憶手段と、
電子番組表における過去番組及び現在番組の中で、ユーザによって指示された指示番組を特定する指示番組特定手段と、
電子番組表の中で、指示番組よりも過去に放送済みであって、当該指示番組に付与されたメタデータと類似度が高いメタデータを持つ１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
してコンピュータを機能させることを特徴とするプログラム。
【請求項２】
電子番組表の中で、指示番組に付与されたメタデータと類似度が高いメタデータを持ち、且つ、現在よりも未来に放送予定の１つ以上の未来番組を検索する第２の未来番組検索手段と
して更に機能させ、
番組ガイド表示手段は、第１の未来番組検索手段及び第２の未来番組検索手段によって検索された１つ以上の未来番組を更に指示可能とした番組ガイドを表示する
ようにコンピュータを機能させることを特徴とする請求項１に記載のプログラム。
【請求項３】
電子番組表記憶手段は、過去から現在までに受信した複数の電子番組表を統合して記憶する
ようにコンピュータを機能させることを特徴とする請求項１又は２に記載のプログラム。
【請求項４】
番組ガイド表示手段によって表示された番組ガイドに含まれる未来番組がユーザによって指示された際に、録画装置に対して録画予約を指示する録画予約指示手段と
してコンピュータを機能させることを特徴とする請求項１から３のいずれか１項に記載のプログラム。
【請求項５】
番組ガイド表示手段は、ユーザ指示可能な番組をサムネイル又はアイコンによって表示すると共に、過去番組のサムネイル又はアイコンの群と、現在番組サムネイル又はアイコンの群と、未来番組のサムネイル又はアイコンの群とを、列方向又は行方向に並べた番組ガイドを表示する
ようにコンピュータを機能させることを特徴とする請求項１から４のいずれか１項に記載のプログラム。
【請求項６】
番組ガイド表示手段は、ユーザ指示可能な番組のメタデータのテキストを、当該サムネイルに重畳的又は並列的に表示する
ようにコンピュータを機能させることを特徴とする請求項７に記載のプログラム。
【請求項７】
受信した電子番組表に基づく番組ガイドをディスプレイへ表示する表示装置において、
放送済みの過去番組、放送中の現在番組及び放送予定の未来番組それぞれのメタデータが記述された電子番組表を記憶する電子番組表記憶手段と、
電子番組表の中で、ユーザによって指示された指示番組よりも過去に放送済みであって、当該指示番組に付与されたメタデータと類似度が高いメタデータを持つ１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
を有することを特徴とする表示装置。
【請求項８】
ケーブルテレビ用のセットトップボックスであって、電子番組表の中で再放送（繰り返し放送）を所定複数回数以上含むチャネルの放送を受信する
ことを特徴とする請求項７に記載の表示装置。
【請求項９】
請求項７又は８に記載の表示装置と、表示装置と通信可能なリモコンとが通信可能なシステムであって、
リモコンは、
視聴ユーザから発話された音声を収集するマイクと、
視聴ユーザに対する近接を検知する近接センサと
近接センサによって視聴ユーザに近接したと判定された際に、マイクによって収集された音声を、表示装置へ送信する音声送信手段と
を有し、
表示装置は、
リモコンから受信した音声に対する音声認識手段を有し、
指示番組特定手段は、音声認識手段によって認識されたキーワードを表示する番組を、当該視聴ユーザからの指示番組として特定する
ことを特徴とするシステム。
【請求項１０】
請求項７又は８に記載の表示装置と、表示装置と通信可能なリモコンとが通信可能なシステムであって、
リモコンは、
視聴ユーザによって把持された動作を検知する加速度センサと
加速度センサによって所定動作が検知された際に、当該所定動作に基づく操作識別子を、表示装置へ送信する操作識別子送信手段と
を有し、
表示装置は、
操作識別子と、視聴ユーザの操作内容とを対応付けた操作認識手段を有し、
指示番組特定手段は、操作認識手段を用いて、リモコンから受信した操作識別子に対応する操作内容に応じて、当該視聴ユーザからの指示番組を特定する
ことを特徴とするシステム。
【請求項１１】
受信した電子番組表に基づく番組ガイドをディスプレイへ表示する装置の番組ガイド表示方法において、
装置は、
放送済みの過去番組、放送中の現在番組及び放送予定の未来番組それぞれのメタデータが記述された電子番組表を記憶しており、
電子番組表の中で、ユーザによって指示された指示番組を特定する第１のステップと、
電子番組表の中で、当該指示番組よりも過去に放送済みであって、当該指示番組に付与されたメタデータと類似度が高いメタデータを持つ１つ以上の過去番組を検索する第２のステップと、
電子番組表の中で、検索された当該過去番組の再放送であって、且つ、現在よりも未来に放送される１つ以上の未来番組を検索する第３のステップと、
第２のステップによって検索された１つ以上の未来番組を指示可能な番組ガイドを表示する第４のステップと
を実行することを特徴とする装置の番組ガイド表示方法。
【手続補正２】
【補正対象書類名】明細書
【補正対象項目名】００２０
【補正方法】変更
【補正の内容】
【００２０】
本発明によれば、受信した電子番組表に基づく番組ガイドをディスプレイへ表示する装置に搭載されたコンピュータを機能させるプログラムにおいて、
放送済みの過去番組、放送中の現在番組及び放送予定の未来番組それぞれのメタデータが記述された電子番組表を記憶する電子番組表記憶手段と、
電子番組表における過去番組及び現在番組の中で、ユーザによって指示された指示番組を特定する指示番組特定手段と、
電子番組表の中で、指示番組よりも過去に放送済みであって、当該指示番組に付与されたメタデータと類似度が高いメタデータを持つ１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
してコンピュータを機能させることを特徴とする。
【手続補正３】
【補正対象書類名】明細書
【補正対象項目名】００２１
【補正方法】削除
【補正の内容】
【手続補正４】
【補正対象書類名】明細書
【補正対象項目名】００２７
【補正方法】変更
【補正の内容】
【００２７】
本発明によれば、受信した電子番組表に基づく番組ガイドをディスプレイへ表示する表示装置において、
放送済みの過去番組、放送中の現在番組及び放送予定の未来番組それぞれのメタデータが記述された電子番組表を記憶する電子番組表記憶手段と、
電子番組表の中で、ユーザによって指示された指示番組よりも過去に放送済みであって、当該指示番組に付与されたメタデータと類似度が高いメタデータを持つ１つ以上の過去番組を検索する過去番組検索手段と、
電子番組表の中で、検索された当該過去番組の再放送であって、且つ、現在よりも未来に放送される１つ以上の未来番組を検索する第１の未来番組検索手段と、
第１の未来番組検索手段によって検索された１つ以上の未来番組を指示可能な番組ガイドを表示する番組ガイド表示手段と
を有することを特徴とする。
【手続補正５】
【補正対象書類名】明細書
【補正対象項目名】００３０
【補正方法】変更
【補正の内容】
【００３０】
本発明によれば、受信した電子番組表に基づく番組ガイドをディスプレイへ表示する装置の番組ガイド表示方法において、
装置は、
放送済みの過去番組、放送中の現在番組及び放送予定の未来番組それぞれのメタデータが記述された電子番組表を記憶しており、
電子番組表の中で、ユーザによって指示された指示番組を特定する第１のステップと、
電子番組表の中で、当該指示番組よりも過去に放送済みであって、当該指示番組に付与されたメタデータと類似度が高いメタデータを持つ１つ以上の過去番組を検索する第２のステップと、
電子番組表の中で、検索された当該過去番組の再放送であって、且つ、現在よりも未来に放送される１つ以上の未来番組を検索する第３のステップと、
第２のステップによって検索された１つ以上の未来番組を指示可能な番組ガイドを表示する第４のステップと
を実行することを特徴とする装置の番組ガイド表示方法。